(57)【要約】【課題】  梱包のみでなく、梱包を解いた後、作業台として有効に利用することができる梱包体を提供することを目的とする。【解決手段】  弾性を有する緩衝材により成形されるとともに、その一面に被梱包製品１の側部に嵌合される嵌合部８を備え、梱包時、被梱包製品１の両側部を挟持する側面用の梱包体４Ａ，４Ｂであって、梱包体４Ａ，４Ｂには、その少なくとも一面に、被梱包製品１の表面と同一形状の成形面９が設けられている。【選択図】      図３
2009196674.tif 000002
【特許請求の範囲】
【請求項１】
弾性を有する緩衝材により成形されるとともに、その一面に被梱包製品の側部に嵌合される嵌合部を備え、梱包時、被梱包製品の両側部を挟持する側面用の梱包体であって、
前記梱包体には、その少なくとも一面に、前記被梱包製品の表面と同一形状の成形面が設けられていることを特徴とする梱包体。
【請求項２】
前記成形面が、前記嵌合部と同一面においてその周囲に設けられていることを特徴とする請求項１に記載の梱包体。
【請求項３】
前記緩衝材が、発泡スチロール、発泡ポリエチレン、発泡ウレタン等の弾性を有する合成樹脂材にて構成されていることを特徴とする請求項１または２に記載の梱包体。
【請求項４】
前記被梱包製品が、空調機器であり、前記成形面は前記空調機器の前面パネルと同一形状とされていることを特徴とする請求項１ないし３のいずれかに記載の梱包体。
【発明の詳細な説明】
【技術分野】
【０００１】
本発明は、空調機器をはじめとする各種電気製品やその他の製品（以下、被梱包製品と総称する。）を梱包するときに使う梱包体に関するものである。
【背景技術】
【０００２】
空調機器等の被梱包製品は、一般にダンボール製の外装箱により梱包され、運搬あるいは輸送に供されている。この際、適度な弾性を有する緩衝材により成形された梱包体を用いて被梱包製品を支持し、その外側を外装箱で梱包するようにしている。こうすることにより、運搬、輸送時の振動等による衝撃を緩和し、被梱包製品が運搬あるいは輸送中における損傷、破損を防止している。
【０００３】
かかる梱包体の１つに、内面側に被梱包製品の側部に嵌合される嵌合部が設けられた側面用梱包体がある。この側面用梱包体は、嵌合部を被梱包製品の側部に嵌合し、被梱包製品を両側から挟持してその外側を外装箱で覆って梱包する際に使われる（例えば、特許文献１参照）。一方、被梱包製品の上面および下面の形状に合致した成形面を備えた上部保持体および下部保持体を用い、被梱包製品を上下から支持してその外側を外装箱で覆って梱包し、被梱包製品の輸送、搬送に供した後、上部保持体をそのまま被梱包製品（天吊型空調ユニット）を据え付ける際の持ち上げ台として利用できるようにした梱包装置が、特許文献２により提案されている。
【０００４】
【特許文献１】特開平４−１４２２７０号公報
【特許文献２】特許第３３２６６８６号公報
【発明の開示】
【発明が解決しようとする課題】
【０００５】
特許文献１に示された梱包体は、被梱包製品を両側部から挟持して梱包する際に使われる梱包体であるが、専ら梱包用に供されるものであって、他の用途に使われるような構成とはされていない。従って、梱包が解かれた後は廃棄されている。また、特許文献２に示された梱包装置は、梱包用として利用された後、更に被梱包製品（天吊型空調ユニット）を持ち上げて据え付ける際の台として利用されており、他の用途に活用できることを教示している。
【０００６】
しかしながら、特許文献２の梱包装置は、被梱包製品の上面を保持するため、その上面形状に合致した成形面を有する構成とした上部保持体を、そのまま被梱包製品の上面を下方にして上方に持ち上げ据え付ける際の台に利用しているだけである。従って、この梱包装置は、梱包時の支持面以外の面を支持して作業しなければならない場合おいて、作業台として有効に利用できるものではない。
【０００７】
一方、小型の空調機器は、その両側部を特許文献１に示すような一対の側面用梱包体で挟持して梱包される場合が多く、しかも、この空調機器は、据え付け時に空調機器を裏返しにして背面側から調整作業を施す必要がある。こうした中、昨今の空調機器は、デザイン性が重視されることから、前面パネル表面が湾曲面とされ、かつ光沢のある意匠面とされていることが多い。このため、空調機器を裏返しにして作業する際、安定感がなく作業がし難い上に、空調機器が動くことで意匠面を損傷、変形するおそれがあるという問題があった。以上から、簡便な作業台が求められていた。
【０００８】
本発明は、このような事情に鑑みてなされたものであって、梱包のみでなく、梱包を解いた後、作業台として有効に利用することができる梱包体を提供することを目的とする。
【課題を解決するための手段】
【０００９】
上記課題を解決するために、本発明の梱包体は、以下の手段を採用する。
すなわち、本発明にかかる梱包体は、弾性を有する緩衝材により成形されるとともに、その一面に被梱包製品の側部に嵌合される嵌合部を備え、梱包時、被梱包製品の両側部を挟持する側面用の梱包体であって、前記梱包体には、その少なくとも一面に、前記被梱包製品の表面と同一形状の成形面が設けられていることを特徴とする。
【００１０】
本発明によれば、梱包体の少なくとも一面に、被梱包製品の表面と同一形状の成形面が設けられているため、梱包を解いて被梱包製品に対し作業を施す際、梱包体を作業台として下敷きにし、成形面に被梱包製品の表面側を載せ置いて作業することができる。これによって、被梱包製品を安定的に支持でき、作業がし易くなるとともに、作業中に被梱包製品が動かなくなるが故に表面を損傷、変形する心配もなくなる。従って、据え付け時の作業性向上と破損クレームの低減等を図ることができる。
【００１１】
さらに、本発明の梱包体は、上記の梱包体において、前記成形面が、前記嵌合部と同一面においてその周囲に設けられていることを特徴とする。
【００１２】
本発明によれば、成形面が嵌合部と同一面においてその周囲に設けられているため、梱包体を被梱包製品に嵌合し、その外側を外装箱で覆って梱包する際にも、成形面が梱包に対して何ら影響を及ぼすことはなく、従って、成形面を設けても側面用梱包体としての機能が些かも損なわれることはない。
【００１３】
さらに、本発明の梱包体は、上述のいずれかの梱包体において、前記緩衝材が、発泡スチロール、発泡ポリエチレン、発泡ウレタン等の弾性を有する合成樹脂材にて構成されていることを特徴とする。
【００１４】
本発明によれば、緩衝材が発泡スチロール、発泡ポリエチレン、発泡ウレタン等の弾性を有する合成樹脂材にて構成されているため、運搬あるいは輸送中は緩衝材として機能することはもちろん、適度な弾性を有することから、作業台として下敷きに使用した場合にも、作業時に被梱包製品に加わる衝撃を緩和することができる。従って、作業中における被梱包製品の損傷、変形をも防止することができる。
【００１５】
さらに、本発明の梱包体は、上述のいずれかの梱包体において、前記被梱包製品が、空調機器であり、前記成形面は前記空調機器の前面パネルと同一形状とされていることを特徴とする。
【００１６】
本発明によれば、被梱包製品が空調機器であり、成形面が空調機器の前面パネルと同一形状とされているため、据え付け時に空調機器を裏返しにして作業する際、前面パネルが曲面形状であっても空調機器を動かないように安定支持することができる。従って、作業性を向上することができるとともに、前面パネル意匠面の損傷、変形等を防止することができる。
【発明の効果】
【００１７】
本発明の梱包体によると、梱包を解いて被梱包製品に対し作業を施す際、梱包体を作業台として下敷きにし、成形面に被梱包製品の表面側を載せ置いて作業することができるため、被梱包製品が安定し、作業がし易くなるとともに、作業中に被梱包製品が動かなくなるが故に表面を損傷、変形する心配もなくなり、その結果、据え付け時の作業性向上と破損クレームの低減を図ることができる。
【発明を実施するための最良の形態】
【００１８】
以下に、本発明にかかる一実施形態について、図１ないし図４を参照して説明する。
図１には、本発明の一実施形態にかかる梱包体を用い梱包した被梱包製品（空調機器）１の梱包状態の斜視図が示され、図２には、図１の梱包状態からダンボール製の外装箱を取り外した状態の斜視図が示されている。
ここでの被梱包製品１は、横長の直方体形状をした空調機器であり、前面側のパネル２が格子状パネルあるいは意匠が施された化粧パネルとされている。また、これらパネル２の表面は大きな湾曲面とされている。
【００１９】
この被梱包製品１は、梱包時、その両側部が一対の側面用梱包体４Ａ，４Ｂにより両側から挟持され、その外側に筒状のダンボール製外装箱３を嵌め込むことによって梱包されている。梱包体４Ａ，４Ｂは、適度な弾性を有する緩衝材であり、発泡スチロール、発泡ポリエチレン、発泡ウレタン等の合成樹脂材により成形された矩形状の所定厚さを有するブロック成形体として構成されている。
【００２０】
ブロック状をなす梱包体４Ａ，４Ｂの外面５側には、取手部６が凹部として一体成形されている。また、内面７側には、図３に示されるように、被梱包製品１の側面形状に合致され、その側部に嵌合される所定深さの嵌合凹部（嵌合部）８が一体成形されている。さらに、梱包体４Ａ，４Ｂの内面７側には、嵌合凹部８を取り囲んでいる周辺部に、被梱包製品１の前面パネル２の表面と同一形状をなす成形面９が一体に成形されている。
【００２１】
成形面９は、パネル２の表面形状に合わせた湾曲凹面とされており、その内面７からの深さは嵌合凹部８の深さよりも十分浅くされている。成形面９の凹面の深さは、前面パネル２側を下にして被梱包製品１を成形面９上に載せ置いたときに、被梱包製品１が動かないように安定的に支持できる深さとされている。なお、この成形面９が設けられる嵌合凹部８の周囲面は、梱包の際に被梱包製品１の表面に当接する面ではなく、成形面９を設けても梱包に何ら影響を及ぼすことはない。
【００２２】
以上に説明の構成により、本実施形態によれば、以下の作用効果を奏する。
被梱包製品（空調機器）１を梱包する際、まず被梱包製品１の両側部にそれぞれ一対の梱包体４Ａ，４Ｂの嵌合凹部（嵌合部）８を嵌合し、一対の梱包体４Ａ，４Ｂで被梱包製品１の両側部を挟み込むように梱包体４Ａ，４Ｂを装着する（図２参照）。次いで、その外側に筒状のダンボール製外装箱３を嵌め込むことによって、図１に示されるように、被梱包製品１を梱包することができる。
【００２３】
上記のように梱包されて運搬あるいは輸送される被梱包製品１は、梱包体４Ａ，４Ｂによって運搬あるいは輸送中の振動、衝撃から保護され、損傷、破損が防止される。被梱包製品１は、運搬あるいは輸送されてユーザに届けられると、梱包が解かれ、使用できる状態に据え付けられる。この際、使用状態に調整が必要な被梱包製品１があり、例えば空調機器では、ユニットの背面に壁面等に据え付けるための調整作業を施す必要である。
【００２４】
ここで、被梱包製品（空調機器）１の梱包に使われていた一対の梱包体４Ａ，４Ｂを作業台として下敷きにし、空調機器１を前面パネル２が下になるように裏返しにして梱包体４Ａ，４Ｂの成形面９上に載せ置き、空調機器１が動かないように安定的に支持してユニット背面に必要な作業を施すことができる。このため、空調機器１に対する作業が格段し易くなるとともに、作業中に空調機器１が動かなくなるが故に前面パネル２の意匠面等を損傷、変形する心配もなくなる。従って、据え付け時の作業性向上、破損クレームの大幅低減を実現することができる。
【００２５】
また、成形面９は、嵌合凹部（嵌合部）８と同じ面（内面７）においてその周囲に設けられているため、被梱包製品１の表面に対して当接せず、梱包体４Ａ，４Ｂを被梱包製品１の側部に嵌合し、その外側を外装箱３で覆って梱包する際にも、成形面９が梱包に対して何ら影響を及ぼすことはない。従って、成形面９を設けても側面用梱包体４Ａ，４Ｂとしての機能が些かも損なわれることはない。
【００２６】
さらに、梱包体４Ａ，４Ｂを構成する緩衝材が、発泡スチロール、発泡ポリエチレンおよび発泡ウレタン等の適度な弾性を有する合成樹脂材により構成されているため、運搬あるいは輸送中は緩衝材として機能することはもちろん、作業台として下敷きに使用した場合にも、作業時に被梱包製品１に加わる衝撃を緩和することができる。従って、作業中における被梱包製品１の損傷、変形をも防止することができる。
【００２７】
なお、本発明は、上記した実施形態にかかる発明に限定されるものではなく、その要旨を逸脱しない範囲において、適宜変形が可能である。例えば、上記実施形態では、梱包体４Ａ，４Ｂを矩形状のブロック成形体とした例について説明したが、梱包体４Ａ，４Ｂの形状は、矩形状に制限されるものではなく、被梱包製品１および外装箱３の形状に応じて任意の形状が選択可能である。
【００２８】
また、上記実施形態では、梱包体４Ａ，４Ｂに嵌合凹部８および成形面（凹面）９を設けた例について説明したが、これらの嵌合凹部８および成形面（凹面）９は、必ずしも凹部および凹面とされるとは限らず、被梱包製品１の構成によっては嵌合凸部や成形凸面とされる場合もある。
【図面の簡単な説明】
【００２９】
【図１】本発明の一実施形態に係る梱包体を用いて被梱包製品をダンボールで梱包した状態の斜視図である。
【図２】図１に示す梱包体を被梱包製品に嵌合した状態の斜視図である。
【図３】図１に示す梱包体を嵌合凹部側から見た斜視図である。
【図４】図１に示す梱包体を被梱包製品の据え付け時の作業台として使用している状態の斜視図である。
【符号の説明】
【００３０】
１  被梱包製品（空調機器）
２  前面パネル
４Ａ，４Ｂ  梱包体
７  内面
８  嵌合凹部（嵌合部）
９  成形面
【図１】
2009196674.tif 000003
【図２】
2009196674.tif 000004
【図３】
2009196674.tif 000005
【図４】
2009196674.tif 000006